(57)【要約】【課題】複数の無線通信方式をハンドオーバー可能に実装した無線通信システムにおいて、方式ごとに変復調部、トランシーバ、アンテナを実装すると機器の小型化ができづらくなると同時にシステムコストが上昇する。【解決手段】２つの異なる通信方式の実装で、１つの通信方式がサブフレームの集合で構成されるフレームを単位とした通信をする場合、２つの方式に切り替え対応可能なトランシーバを用意し、２つの通信処理部の間で状態をやり取りすることで、フレーム毎にサブフレーム単位で通信の切れ目を検出して無線方式を切り替えることで、時分割にて２つの異なる通信方式を実装し、一つの通信方式にて通信中であっても、他方の通信方式へのハンドオーバに伴う状態検出、接続処理の実行を可能にする。【選択図】図１
2008172569.tif 000002
【特許請求の範囲】
【請求項１】
アンテナと高周波処理と変復調処理までの一連の信号処理機能の一部もしくは全部を第１の無線通信方式と第２の無線通信方式で兼用化したシステムであって、前記第１の無線通信方式は複数のサブフレームの集合であるフレームを単位として通信を行うものであり、
前記システムは、
前記第１の無線通信方式専用の通信機能を実装する第１の通信処理部と、
前記第２の無線通信方式専用の通信機能を実装する第２の通信処理部と、
前記第１の通信処理部と前記第２の通信処理部の両方で共通に使用する共通トランシーバ部と、
前記第１の通信処理部からの信号または前記第２の通信処理部からの信号を選択的に前記共通トランシーバ部に入力する方式選択部と、
前記方式選択部に対して選択するべき方式を指示する通信切替制御部とを備え、
前記通信切替制御部は、
前記第１の無線通信方式から前記第２の無線通信方式に切替、または前記第２の無線通信方式を使った通信相手を検索する動作において、前記第１の通信処理部からのフレーム及びサブフレーム情報を元に切替のタイミングを決定する、
ことを特徴とする無線通信システム。
【請求項２】
請求項１において、
前記通信切替制御部は、
前記第１の通信処理部からフレーム開始信号とサブフレーム開始信号を入力し、
前記フレーム開始信号を受け取ると前記方式選択部へ第１の通信処理部からの信号を選択するよう指示し、
前記フレーム開始信号を受け取った後、前記サブフレーム開始信号をｎ（ｎは０以上の数）回受け取ると前記方式選択部へ前記第２の通信処理部からの信号を選択するよう指示し、さらに前記サブフレーム開始信号をｍ（ｍは１以上の数）回受け取ると前記方式選択部へ第１の通信処理部からの信号を選択するよう指示する、
ことを特徴とする無線通信システム。
【請求項３】
請求項２において、
前記通信切替制御部は、
すべての前記フレーム開始信号において、ｎ、ｍの値が固定である、
ことを特徴とする無線通信システム。
【請求項４】
請求項２において、
前記通信切替制御部は、
前記フレーム開始信号が入力される毎に、ｎの値を変化させる、
ことを特徴とする無線通信システム。
【請求項５】
請求項１において、
前記通信切替制御部は、
前記第１の通信処理部からフレーム開始信号とサブフレーム開始信号を入力し、
前記フレーム開始信号を受け取ると前記方式選択部へ第１の通信処理部からの信号を選択するよう指示し、
前記フレーム開始信号を受け取った後、前記サブフレーム開始信号をｎ（ｎは０以上の数）回受け取ると前記方式選択部へ前記第２の通信処理部からの信号を選択するよう指示し、
前記方式選択部へ前記第２の通信処理部からの信号を選択するよう指示した後、前記サブフレーム開始信号をｐ（ｐは０以上の数）回受け取る毎に前記方式選択部へ前記第２の通信処理部からの信号を選択するよう繰り返し指示し、
前記方式選択部へ前記第２の通信処理部からの信号を選択するよう指示した後、前記サブフレーム開始信号をｍ回受け取ると前記方式選択部へ前記第１の通信処理部からの信号を選択するよう指示し、
１フレーム内で１回以上前記方式選択部において前記第２の通信処理部からの信号が選択される、
ことを特徴とする無線通信システム。
【請求項６】
請求項２または５において、
前記通信切替制御部は、
前記第２の通信処理部より前記第２の通信処理部が通信に必要な時間情報を入力し、ｍの値を前記時間情報よりも大きくなるように設定する、
ことを特徴とする無線通信システム。
【請求項７】
請求項２または５において、
前記通信切替制御部は、
前記第２の通信処理部より前記第２の通信処理部が通信が完了したことを通知する信号を入力し、
前記第２の通信処理部の通信が完了した場合には、ｍの値に関わらず、前記方式選択部へ前記第２の通信処理部からの信号を選択するのを中断し前記第１の通信処理部からの信号を選択するよう指示する、
ことを特徴とする無線通信システム。
【請求項８】
請求項１〜７のいずれか１つにおいて、
前記通信切替制御部は、
前記方式選択部への指示を受信と送信で独立して指示できるようになっており、
前記第２の通信処理部が受信動作しかしない場合には、前記方式選択部に対して受信側のみ前記第２の通信処理部を選択し、送信側は前記第１の通信処理部を選択するよう指示する、
ことを特徴とする無線通信システム。
【請求項９】
アンテナと高周波処理と変復調処理までの一連の信号処理機能の一部もしくは全部を第１の無線通信方式と第２の無線通信方式で兼用化したシステムであって、前記第１の無線通信方式は複数のサブフレームの集合であるフレームを単位として通信を行うものであり、
前記システムは、
前記第１の無線通信方式専用の通信機能を実装する第１の通信処理部と、
前記第２の無線通信方式専用の通信機能を実装する第２の通信処理部と、
前記第１の通信処理部と前記第２の通信処理部の両方で共通に使用する共通トランシーバ部と、
前記第１の通信処理部からの信号と前記第２の通信処理部からの信号を選択して前記共通トランシーバ部に入力する方式選択部と、
前記方式選択部に対して選択するべき方式を指示する通信切替制御部とを備え、
前記通信切替制御部は、
前記第１の無線通信方式から前記第２の無線通信方式に切替または前記第２の無線通信方式を使った通信相手を検索する動作において、前記第１の通信処理部からのフレーム及びサブフレーム情報及び前記第１の通信処理部の通信相手より送られてくるスケジュール情報を元に切替のタイミングを決定する、
ことを特徴とする無線通信システム。
【請求項１０】
請求項９において、
前記通信切替制御部は、
前記第１の通信処理部からフレーム開始信号とサブフレーム開始信号を入力し、
前記フレーム開始信号を受け取ると前記方式選択部へ前記第１の通信処理部からの信号を選択するよう指示し、
前記フレーム開始信号を受け取った後、前記サブフレーム開始信号をｎ（ｎは０以上の数）回受け取ると前記方式選択部へ前記第２の通信処理部からの信号を選択するよう指示し、さらに前記サブフレーム開始信号をｍ（ｍは１以上の数）回受け取ると前記方式選択部へ前記第１の通信処理部からの信号を選択するよう指示し、
前記スケジュール情報を含むサブフレームの位置が事前に通知され、前記ｎ，ｍの値を前記スケジュール情報の入っているサブフレームを含まないように決定する、
ことを特徴とする無線通信システム。
【請求項１１】
請求項１０において、
前記通信切替制御部は、
前記スケジュール情報より、ｎ，ｍの値を自分が前記第１の通信処理部を使用して通信をするタイミング以外の値に決定する、
ことを特徴とする無線通信システム。
【請求項１２】
請求項１０において、
前記通信切替制御部は、
前記スケジュール情報より、ｎ，ｍの値を自分が前記第１の通信処理部を使用してリアルタイムデータの通信をするタイミング以外の値に決定する、
ことを特徴とする無線通信システム。
【請求項１３】
請求項９〜１２のいずれか１つにおいて、
前記通信切替制御部は、
前記方式選択部への指示を受信と送信で独立して指示できるようになっており、
前記第２の通信処理部が受信動作しかしない場合には、前記方式選択部に対して受信側のみ前記第２の通信処理部を選択し、送信側は前記第１の通信処理部を選択するよう指示する、
ことを特徴とする無線通信システム。
【請求項１４】
請求項９〜１３のいずれか１つにおいて、
前記通信切替制御部は、
前記方式選択部への指示を受信と送信で独立して指示できるようになっており、
前記スケジュール情報より、前記第１の通信処理部を使用して受信動作をしないタイミングでは、前記ｎ，ｍの値に関わらず前記方式選択部に対して受信側のみ前記第２の通信処理部を選択するよう指示する、
ことを特徴とする無線通信システム。
【請求項１５】
請求項９〜１４のいずれか１つにおいて、
さらに前記第２の通信処理部にて通信が必要な場合には、前記第１の通信処理部を使用した通信が一時的に中断するようなスケジュールを前記第１の通信処理部の通信相手に対して要求するスケジュール要求部を備える、
ことを特徴とする無線通信システム。
【請求項１６】
請求項１２において、
前記リアルタイムデータは、音声もしくは映像データである、
ことを特徴とする無線通信システム。
【請求項１７】
請求項１〜１６のいずれか１つにおいて、
前記第１の無線通信方式は、広域で通信可能な移動体通信方式である、
ことを特徴とする無線通信システム。
【請求項１８】
請求項１〜１６のいずれか１つにおいて、
前記第２の無線通信方式は、狭域で通信可能な無線LAN方式である、
ことを特徴とする無線通信システム。
【請求項１９】
請求項１に記載の第１の通信処理部・第２の通信処理部・方式選択部・通信切替制御部、または、請求項９に記載の第１の通信処理部・第２の通信処理部・方式選択部・通信切替制御部、が同一チップ上に形成されている、
ことを特徴とする無線通信システム用集積回路。
【請求項２０】
請求項１に記載の第１の通信処理部・第２の通信処理部・共通トランシーバ部・方式選択部・通信切替制御部、または、請求項９に記載の第１の通信処理部・第２の通信処理部・共通トランシーバ部・方式選択部・通信切替制御部、が同一チップ上に形成されている、
ことを特徴とする無線通信システム用集積回路。
【発明の詳細な説明】
【技術分野】
【０００１】
本発明は、複数の無線通信方式をハンドオーバー可能に実装した無線通信システムに関するものである。
【背景技術】
【０００２】
従来の移動体通信端末は、セルラーと無線LANの２種類の無線通信手段を持つ場合があり、この２つの通信手段を切り替えて使用することが可能である。
【０００３】
セルラーは、高速移動環境でも通信可能であり、また屋外の広い範囲で通信可能であるが、その通信速度は第３世代携帯電話でも１０Mbps程度である。
【０００４】
無線LANは、IEEE(Institute of Electrical and Electronics Engineers)802.11シリーズに規定されており、主にオフィスや家庭に設置したアクセスポイントを経由して、社内イントラネットやインターネット等のネットワークに接続するために使われる。通常、無線LANの通信範囲は数十ｍ程度とセルラーよりも狭い。通信速度はIEEE802.11aとIEEE802.11gでは、最大５４Mbpsの高速通信が可能であり、次世代の無線LANであるIEEE802.11nでは、１００Mbpsを越える通信も可能となっている。
【０００５】
IEEE802.11規格では、無線LANが使用可能かどうかを検出するためには、アクセスポイントが発信するBeacon信号を受信し接続可能かどうかを判断する方法と、端末側からアクセスポイントに対してProbe Request信号を送信し、アクセスポイントからの応答であるProbe Responce信号を受信する方法の２種類がある。
【０００６】
セルラーと無線LANの２種類の無線通信手段を持つ移動体通信端末の場合、屋外では移動しながら使用可能であるセルラーを使用して通信し、屋内などで無線LANが使用可能な状況では、高速な無線LANに切り替えて通信をすることが求められる。
【０００７】
セルラーと無線LANの２つの通信手段を切り替える方法が特許文献１に記載されている。特許文献１では、通信端末装置はセルラーと無線LANの無線インターフェースをそれぞれ別々に用意し、それぞれの無線インターフェースの通信状態を監視し、それぞれの方式の通信状態に応じて現在使用中の通信方式から別の通信方式に切り替えたほうが通信品質の向上が期待できる場合に、現在の無線インターフェースから別の無線インターフェースへの切替を実行する方法が記載されている。
【特許文献１】特許第3608503号明細書
【発明の開示】
【発明が解決しようとする課題】
【０００８】
しかし、従来の方法では、２方式の無線インターフェースの状態を監視するために２種類の無線インターフェースを別々に備えなければならず、そのために複数の異なる通信方式への対応は、通信機器にとって小型化やコストダウンが困難であるという問題点を持っていた。
【０００９】
本発明は、上記従来の問題点を解決するもので、複数の無線通信方式をハンドオーバー可能に実装した無線通信システムにおいて、システムの小型化やコストダウンを可能とすることを目的とする。
【課題を解決するための手段】
【００１０】
本発明は、２方式の無線通信方式を持つ通信システムにおいて、各通信方式を実現する部分を専用機能部分と共通機能部分とに分割し、各方式の専用機能部分がそれぞれの状態を監視しあうことで共通機能部分を効率的に切り替えて使用することを可能とし、２方式で別々の無線インターフェースを持つ必要をなくすことで、システムの小型化やコストダウンを可能とするものである。
【００１１】
これら課題を解決するために、本発明は次のような手段を講じる。
【００１２】
第１の解決手段は、アンテナと高周波処理と変復調処理までの一連の信号処理機能の一部もしくは全部を第１の無線通信方式と第２の無線通信方式で兼用化したシステムであって、前記第１の無線通信方式は複数のサブフレームの集合であるフレームを単位として通信を行うものであり、前記システムは、前記第１の無線通信方式専用の通信機能を実装する第１の通信処理部と、前記第２の無線通信方式専用の通信機能を実装する第２の通信処理部と、前記第１の通信処理部と前記第２の通信処理部の両方で共通に使用する共通トランシーバ部と、前記第１の通信処理部からの信号または前記第２の通信処理部からの信号を選択的に前記共通トランシーバ部に入力する方式選択部と、前記方式選択部に対して選択するべき方式を指示する通信切替制御部とを備え、前記通信切替制御部は、前記第１の無線通信方式から前記第２の無線通信方式に切替、または前記第２の無線通信方式を使った通信相手を検索する動作において、前記第１の通信処理部からのフレーム及びサブフレーム情報を元に切替のタイミングを決定する。
【００１３】
第２の解決手段は、前記通信切替制御部が、前記第１の通信処理部からフレーム開始信号とサブフレーム開始信号を入力し、前記フレーム開始信号を受け取ると前記方式選択部へ第１の通信処理部からの信号を選択するよう指示し、前記フレーム開始信号を受け取った後、前記サブフレーム開始信号をｎ（ｎは０以上の数）回受け取ると前記方式選択部へ前記第２の通信処理部からの信号を選択するよう指示し、さらに前記サブフレーム開始信号をｍ（ｍは１以上の数）回受け取ると前記方式選択部へ第１の通信処理部からの信号を選択するよう指示する。
【００１４】
第３の解決手段は、前記通信切替制御部は、すべての前記フレーム開始信号において、ｎ、ｍの値が固定とする。
【００１５】
第４の解決手段は、前記通信切替制御部は、前記フレーム開始信号が入力される毎に、ｎの値を変化させる。
【００１６】
第５の解決手段では、前記通信切替制御部は、前記第１の通信処理部からフレーム開始信号とサブフレーム開始信号を入力し、前記フレーム開始信号を受け取ると前記方式選択部へ第１の通信処理部からの信号を選択するよう指示し、前記フレーム開始信号を受け取った後、前記サブフレーム開始信号をｎ（ｎは０以上の数）回受け取ると前記方式選択部へ前記第２の通信処理部からの信号を選択するよう指示し、前記方式選択部へ前記第２の通信処理部からの信号を選択するよう指示した後、前記サブフレーム開始信号をｐ（ｐは０以上の数）回受け取る毎に前記方式選択部へ前記第２の通信処理部からの信号を選択するよう繰り返し指示し、前記方式選択部へ前記第２の通信処理部からの信号を選択するよう指示した後、前記サブフレーム開始信号をｍ回受け取ると前記方式選択部へ前記第１の通信処理部からの信号を選択するよう指示し、１フレーム内で１回以上前記方式選択部において前記第２の通信処理部からの信号が選択される。
【００１７】
第６の解決手段では、前記通信切替制御部は、前記第２の通信処理部より前記第２の通信処理部が通信に必要な時間情報を入力し、ｍの値を前記時間情報よりも大きくなるように設定する。
【００１８】
第７の解決手段では、前記通信切替制御部は、前記第２の通信処理部より前記第２の通信処理部が通信が完了したことを通知する信号を入力し、前記第２の通信処理部の通信が完了した場合には、ｍの値に関わらず、前記方式選択部へ前記第２の通信処理部からの信号を選択するのを中断し前記第１の通信処理部からの信号を選択するよう指示する。
【００１９】
第８の解決手段では、前記通信切替制御部は、前記方式選択部への指示を受信と送信で独立して指示できるようになっており、前記第２の通信処理部が受信動作しかしない場合には、前記方式選択部に対して受信側のみ前記第２の通信処理部を選択し、送信側は前記第１の通信処理部を選択するよう指示する。
【００２０】
第９の解決手段では、アンテナと高周波処理と変復調処理までの一連の信号処理機能の一部もしくは全部を第１の無線通信方式と第２の無線通信方式で兼用化したシステムであって、前記第１の無線通信方式は複数のサブフレームの集合であるフレームを単位として通信を行うものであり、前記システムは、前記第１の無線通信方式専用の通信機能を実装する第１の通信処理部と、前記第２の無線通信方式専用の通信機能を実装する第２の通信処理部と、前記第１の通信処理部と前記第２の通信処理部の両方で共通に使用する共通トランシーバ部と、前記第１の通信処理部からの信号と前記第２の通信処理部からの信号を選択して前記共通トランシーバ部に入力する方式選択部と、前記方式選択部に対して選択するべき方式を指示する通信切替制御部とを備え、前記通信切替制御部は、前記第１の無線通信方式から前記第２の無線通信方式に切替または前記第２の無線通信方式を使った通信相手を検索する動作において、前記第１の通信処理部からのフレーム及びサブフレーム情報及び前記第１の通信処理部の通信相手より送られてくるスケジュール情報を元に切替のタイミングを決定する。
【００２１】
第１０の解決手段では、前記通信切替制御部は、前記第１の通信処理部からフレーム開始信号とサブフレーム開始信号を入力し、前記フレーム開始信号を受け取ると前記方式選択部へ前記第１の通信処理部からの信号を選択するよう指示し、前記フレーム開始信号を受け取った後、前記サブフレーム開始信号をｎ（ｎは０以上の数）回受け取ると前記方式選択部へ前記第２の通信処理部からの信号を選択するよう指示し、さらに前記サブフレーム開始信号をｍ（ｍは１以上の数）回受け取ると前記方式選択部へ前記第１の通信処理部からの信号を選択するよう指示し、前記スケジュール情報を含むサブフレームの位置が事前に通知され、前記ｎ，ｍの値を前記スケジュール情報の入っているサブフレームを含まないように決定する。
【００２２】
第１１の解決手段では、前記通信切替制御部は、前記スケジュール情報より、ｎ，ｍの値を自分が前記第１の通信処理部を使用して通信をするタイミング以外の値に決定する。
【００２３】
第１２の解決手段では、前記通信切替制御部は、前記スケジュール情報より、ｎ，ｍの値を自分が前記第１の通信処理部を使用してリアルタイムデータの通信をするタイミング以外の値に決定する。
【００２４】
第１３の解決手段では、前記通信切替制御部は、前記方式選択部への指示を受信と送信で独立して指示できるようになっており、前記第２の通信処理部が受信動作しかしない場合には、前記方式選択部に対して受信側のみ前記第２の通信処理部を選択し、送信側は前記第１の通信処理部を選択するよう指示する。
【００２５】
第１４の解決手段では、前記通信切替制御部は、前記方式選択部への指示を受信と送信で独立して指示できるようになっており、前記スケジュール情報より、前記第１の通信処理部を使用して受信動作をしないタイミングでは、前記ｎ，ｍの値に関わらず前記方式選択部に対して受信側のみ前記第２の通信処理部を選択するよう指示する。
【００２６】
第１５の解決手段では、さらに前記第２の通信処理部にて通信が必要な場合には、前記第１の通信処理部を使用した通信が一時的に中断するようなスケジュールを前記第１の通信処理部の通信相手に対して要求するスケジュール要求部を備える。
【００２７】
第１６の解決手段では、前記リアルタイムデータは、音声もしくは映像データとする。
【発明の効果】
【００２８】
第１、第２の解決手段では、第１の通信処理部からのフレーム及びサブフレーム情報を元に第１の通信処理部と第２の通信処理部の信号を切り替えて共通トランシーバ部が動作するため、第１通信処理部が通信を中断するタイミングがフレームもしくはサブフレームに同期したタイミングとなり、切替タイミングに関わる第１通信処理部の通信エラー発生頻度が減少するという効果がある。
【００２９】
第３の解決手段では、切替制御のタイミングであるｎ，ｍの値を全フレームで固定とするため、切替制御が容易であり、少ない回路規模で制御可能とであるという効果がある。
【００３０】
第４の解決手段では、ｎの値を変化させることにより、第１通信方式のフレーム周期と第２通信方式の通信データ出現タイミングがずれて同期した場合でも、トランシーバを第２通信処理部に切り替えるタイミングを毎フレーム毎にずらすことにより、第２通信方式での通信データ出現期間とトランシーバの第２通信処理部への切替期間とを一致させることが出来る効果がある。
【００３１】
第５の解決手段では、トランシーバ切替の回数を１フレーム内で複数回に出来ることから、第２通信処理部に切替られている時間が長くなり、第２通信処理部での通信機会増加の効果がある。
【００３２】
第６の解決手段では、第２通信処理部が通信に必要な時間を要求し、その要求時間よりも長い時間を第２通信処理部の通信時間としてトランシーバ部を切り替えることで、第２通信処理部が確実に通信を完了させることができ、通信効率向上の効果がある。
【００３３】
第７の解決手段では、第２通信処理部で処理が完了したことを通信切替制御部に伝えることにより、通信切替処理部で切替を予定していた時間よりもより早いタイミングで第１通信処理部に切替が可能となり、トランシーバの無駄な利用時間を少なくでき、結果として第１通信処理部での通信効率低下を抑制する効果がある。
【００３４】
第８の解決手段では、送受信独立でトランシーバを切り替えることにより、第２通信処理部が送信を行なわない場合には、トランシーバ部を第２通信処理側に切り替える時間であっても、トランシーバ部の送信側は第１通信処理部で使用可能であり、第１通信処理部での通信効率低下を抑制する効果がある。
【００３５】
第９、１０、１１の解決手段では、第１通信方式において通信相手との間で、スケジュール情報を共有し、フレーム内で第１通信処理部が受信しなければいけないデータが入っているサブフレームと第１通信処理部が送信しなければいけないサブフレームがどこであるか知ることができるため、それら第１通信処理部が通信をするサブフレーム以外の期間を第２通信処理部に割り振ることが可能となり、第１通信処理部の通信効率低下を抑制する効果がある。
【００３６】
第１２の解決手段では、第１通信処理部がトランシーバを使用する期間がスケジュール情報が入っているサブフレームと、リアルタイムデータが入っているサブフレームのみとなるため、第１通信処理部への割り当て期間が必要最小限となり、第２通信処理部への割り当てが多くなるため、第２通信処理部の通信機会増加の効果がある。
【００３７】
第１３の解決手段では、送受信独立でトランシーバを切り替えることにより、第２通信処理部が送信を行なわない場合には、トランシーバ部を第２通信処理部に切り替える時間であっても、トランシーバ部の送信側は第１通信処理部で使用可能であり、第１通信処理部での通信効率低下を抑制する効果がある。
【００３８】
第１４の解決手段では、第１通信処理部が受信処理を行なっていない場合に、受信側のトランシーバ部を第２通信処理部に切り替えることができるため、第２通信処理部で受信動作が出来る期間が増加し、第２通信処理部が受信動作しか必要ない場合に、通信機会増加の効果がある。
【００３９】
第１５の解決手段では、第２通信処理部に通信要求がある場合に、第１通信処理部の通信を一時的に中断するよう第１通信処理部の通信相手との間で調整を行なってから第２通信処理部にトランシーバ部を切り替えるため、第１通信処理部ではトランシーバ切替に伴う通信エラーが発生しないという効果がある。
【発明を実施するための最良の形態】
【００４０】
（実施の形態１）
図１は、本発明の実施の形態１における無線通信システムの構成を示すブロック図である。本実施の形態の無線通信システムにおいて、１０１はデータ処理部であり通信用のデータをアプリケーションとの間でやり取りするためにデータの加工やＩＰ（インターネットプロトコル）処理などを行なう部分である。１０２は通信制御部で、現在採用している通信方式に従って、通信方式に対応する通信処理部１０３または１０４とデータ処理部１０１との間でデータのやり取りを行なう。ここでは２種類の通信方式が選択可能であり、移動環境でも通信が可能なセルラーと移動していない環境で高速通信が可能な無線LANが選択可能とする。１０３はセルラー通信処理部であり、通信制御部１０２から入力されたデータをセルラーの通信方式に従ってデータ変換及び変調処理する機能とセルラー方式で受信したデータを復調処理しデータ変換を行なって通信制御部１０２に出力する機能を有する。１０４は無線LAN通信処理部（以下、WLAN通信処理部）であり、通信制御部１０２から入力されたデータを無線LANの通信方式に従ってデータ変換及び変調処理する機能と無線LAN方式で受信したデータを復調処理しデータ変換を行なって通信制御部１０２に出力する機能を有する。１０５はフレーム開始信号（以下、FRAME）でセルラー通信で使用されるフレームの開始タイミングであり、セルラー通信処理部１０３が出力する。１０６はサブフレーム開始信号（以下、SUBF）でセルラー通信で使用されるサブフレームの開始タイミングであり、セルラー通信処理部１０３が出力する。１０７は通信切替制御部で通信方式の切替を制御する。１０８は通信方式を切り替えるための信号（以下、MODE_SEL）で通信切替制御部１０７によりタイミングが制御される。１０９は受信用方式選択部（以下、RX_MUX）であり受信したデータをMODE_SEL１０８の指示に従って選択してセルラー通信処理部１０３またはWLAN通信処理部１０４に出力する。１１０は送信用方式選択部（以下、TX_MUX）であり、セルラー通信処理部１０３およびWLAN通信処理部１０４からの送信データをMODE_SEL１０８の指示に従って選択して送信する。１１１はセルラー用受信データでRX_MUX１０９から出力され、セルラー通信処理部１０３に入力される。１１２はセルラー用送信データでセルラー通信処理部１０３から出力され、TX_MUX１１０に入力される。１１３は無線LAN用受信データでありRX_MUX１０９から出力され、WLAN通信処理部１０４に入力される。１１４は無線LAN用送信データでありWLAN通信処理部１０４から出力されTX_MUX１１０に入力される。１１５は動作モードを変更可能な受信用トランシーバ（以下、RXトランシーバ）であり、MODE_SEL１０８の指示に従ってセルラー用もしくは無線LAN用の高周波部信号の受信処理を行なう。１１６は受信用のアンテナ（以下、RX_ANT）である。１１７は送信用トランシーバ（以下、TXトランシーバ）であり、TX_MUX１１０から入力された信号をMODE_SEL１０８の指示に従ってセルラー用もしくは無線LAN用の高周波信号に変換し送信処理を行なう。１１８は送信用アンテナ（以下、TX_ANT）である。１３０は無線LAN通信時間リクエスト信号（以下、WLAN_REQ_TIME）であり、WLAN通信処理部１０４が次の無線LAN通信で必要な通信時間を示す信号である。
【００４１】
FRAME１０５はフレーム開始タイミングでHIGHパルスを出力する。
【００４２】
SUBF１０６はサブフレーム開始タイミングでHIGHパルスを出力する。
【００４３】
通信切替制御部１０７において、セルラー通信を有効にする場合には、MODE_SEL１０８にLOWを、無線LAN通信を有効にする場合には、MODE_SEL１０８にHIGHを出力する。
【００４４】
RX_MUX１０９はRXトランシーバ１１５からのデータを、MODE_SEL１０８がLOWのときにはセルラー用受信データ１１１にMODE_SEL１０８がHIGHの時には無線LAN用受信データ１１３に出力する。
【００４５】
RXトランシーバ１１５は、MODE_SEL１０８がLOWのときにはセルラー用高周波周波数にあわせた受信処理をMODE_SEL１０８がHIGHの時には無線LAN用高周波周波数に合わせた受信処理を行なう。
【００４６】
TX_MUX１１０はＴＸトランシーバ１１７に対して、MODE_SEL１０８がLOWのときにはセルラー用送信データ１１２をMODE_SEL１０８がHIGHの時には無線LAN用送信データ１１４を選択して出力する。
【００４７】
TXトランシーバ１１７は、MODE_SEL１０８がLOWのときにはセルラー用高周波周波数にあわせた送信処理をMODE_SEL１０８がHIGHの時には無線LAN用高周波周波数に合わせた送信処理を行なう。
【００４８】
図２は、本実施形態で想定しているセルラー通信方式でのフレームとサブフレームの関係の一例を示したものである。ここで、サブフレームが２０個集まって１フレームが構成されており、全フレームが同一の構成で、連続している。フレームの開始時間とサブフレームの開始時間、１フレーム内のサブフレームの数は事前にセルラー通信処理部１０３の通信相手との間で決定しているとする。また、１サブフレームの時間は０.５ｍｓとし、１フレームの時間は、０.５ｍｓ×２０で１０ｍｓとする。
【００４９】
このように構成された、無線通信システムにおいて、以下図を用いて動作を説明する。以降すべての動作説明では、セルラー通信方式で通信している状態から無線LAN方式の通信相手を検索するための通信を開始する、または無線LAN方式への通信切替に伴う無線LAN方式の通信処理を実行する時の動作を説明している。
【００５０】
図３は実施形態１の基本動作を説明したものである。
【００５１】
図中のサブフレームに番号をつけてあるが、１フレームは２０個のサブフレームから構成され、１番から順番に２０番まで受信されるとする。フレームの先頭で、FRAME１０５がパルス出力されている。フレームを構成するサブフレームにおいてその先頭でSUBF１０６がパルス出力されている。MODE_SEL１０８はサブフレーム３，４，５の期間HIGHになってそれ以外はLOWである。この場合TXトランシーバ１１７、RXトランシーバ１１５は、サブフレームの１，２番目および６から２０番目の間はセルラー通信方式を選択し、サブフレームの３，４，５番目では無線LAN通信方式を選択している。
【００５２】
図４，５，６は通信切替制御部１０７がどのようにMODE_SEL１０８を制御するかを説明するものである。図中でサブフレームは、四角１つ分が１サブフレームを示し、塗りつぶしの無い四角はセルラー通信方式が選択されていることを示し、塗りつぶしている四角は無線LAN通信方式が選択されていることを示している。
【００５３】
図４は、通信切替制御部１０７はフレームによらず固定のタイミングで無線LANとセルラーの切替制御を行なっている動作を説明するもので、第３の解決手段においてｎ＝２、ｍ＝５の場合の動作である。本動作例では、フレームの先頭から、３サブフレーム目から５サブフレーム分を無線LANに切り替える処理をしている。
【００５４】
図５は、通信切替制御部１０７はフレーム毎に無線LANに切り替えるタイミングをずらす切替制御とWLAN通信処理部１０４からのWLAN_REQ_TIME１３０による制御を同時に行なっている動作を説明するものである。WLAN_REQ_TIME１３０からサブフレーム個数への変換は、１サブフレーム時間が０.５ｍｓなので、WLAN_REQ_TIME１３０を０.５ｍｓで除算し、切り上げた個数となる。本動作例では、フレームが変わる毎に無線LANへの切替タイミングであるｎの値を１づつ増加させている。第１フレームではｎ＝２で３サブフレーム目から無線LANに切り替わりWLAN_REQ_TIME１３０が２.２ｍｓなので、ｍ＝５となり、５サブフレーム分無線LANに切り替えている。第２フレームではｎ＝３で４サブフレーム目からから無線LANに切り替わりWLAN_REQ_TIME１３０が１.３ｍｓなので、ｍ＝３となり、３サブフレーム分無線LANに切り替えている。第３フレームではｎ＝４で５サブフレーム目からから無線LANに切り替わりWLAN_REQ_TIME１３０が０.６ｍｓなので、ｍ＝２となり、２サブフレーム分無線LANに切り替えている。第４フレームではｎ＝５で６サブフレーム目から無線LANに切り替わりWLAN_REQ_TIME１３０が２.７ｍｓなので、ｍ＝６となり、６サブフレーム分を無線LANに切り替える制御をしている。このようにして、セルラーと無線LANがRXトランシーバ１１５とTXトランシーバ１１７を共通で使用して通信を行なうことが可能となる。
【００５５】
図６は、通信切替制御部１０７はフレーム毎に無線LANに複数回切り替える切替制御を行なっている動作を説明するものであり、第５の解決手段においてｎ＝２、ｍ＝３、ｐ＝５の場合の動作である。本動作例では、フレームの先頭から３サブフレームから無線LANに切り替わり、３サブフレーム分無線LANを選択する。ｐ＝５の設定では、無線LANに切り替わってから５サブフレーム後に再度無線LANに切り替わることになるので、３サブフレームの無線LAN選択の後、２サブフレーム分はセルラーを選択し再度無線LAN選択に戻る。この動作をフレーム期間で繰り返している。このようにして、セルラーと無線LANがRXトランシーバ１１５とTXトランシーバ１１７を共通で使用して通信を行なうことが可能となる。
（実施の形態２）
図７は、本発明の実施の形態２における無線通信システムの構成を示すブロック図である。
【００５６】
１３１は、無線LAN通信動作信号（以下、WLAN_ACT）であり、無線LANが送受信動作を実行中であることを示す信号である。本ブロック図は、図１のブロック図にWLAN_ACT１３１を加えた構成である。WLAN_ACT１３１は無線LANが通信動作を実行中の場合にHIGHになり、通信をしていない間はLOWとなる。送信が終了した後に確認信号を受信する場合など一連の通信動作では、送信動作、受信待ち動作、受信動作の全期間HIGHとなる。
【００５７】
このように構成された無線通信システムにおいて図８を使用して動作を説明する。
【００５８】
図中のサブフレームに番号をつけてあるが、１フレームは２０個のサブフレームから構成され、１番から順番に２０番まで受信されるとする。通信切替制御部１０７では、第７の解決手段の動作を行なっており、ｎ＝２、ｍ＝４、ｐ＝６で設定されている。WLAN_ACT１３１が実装されていない状態では、実施の形態１の図６で説明した様に無線LANからセルラーに切り替えるタイミングは、MODE_SEL１０８が点線で示される位置（本来の変化位置）である。しかしWLAN_ACT１３１が実装されることにより、無線LANの動作完了位置を知ることが可能となり、MODE_SEL１０８の動作は実線で示される位置になる。このようにして、セルラーと無線LANがRXトランシーバ１１５とTXトランシーバ１１７を共通で使用して通信を行なうことが可能となる。
（実施の形態３）
図９は本発明の実施の形態３における無線通信システムの構成を示すブロック図である。
【００５９】
本ブロック図において、１３２は無線LANが受信動作しか要求していない信号(以下、RX_ONLY)である。１３３は受信側の通信方式切替信号（以下、RX_MODE_SEL）である。１３４は送信側の通信方式切替信号（以下、TX_MODE_SEL）である。図９は図７のブロック図にこれらRX_ONLY１３２、RX_MODE_SEL１３３、TX_MODE_SEL１３４を加え、MODEL_SEL１０８を削除したものである。
【００６０】
このように構成された無線通信システムにおいて以下その動作を図１０を使用して説明する。図中のサブフレームに番号をつけてあるが、１フレームは２０個のサブフレームから構成され、１番から順番に２０番まで受信されるとする。図１０において、サブフレームの６番までの動作は、図８と同様であり、第５の解決手段においてｎ＝２、ｍ＝４、ｐ＝６の設定が行なわれた場合の動作を行なう。サブフレームの７番目で、RX_ONLY１３２がHIGHになり、無線LAN動作として受信しかしないことを通知している。これは無線LAN動作としては、アクセスポイントと他の無線LAN端末の通信状態をモニタする場合やアクセスポイントからのBeacon信号を受信する場合などが想定される。RX_ONLY１３２がHIGHでは、通信切替制御部１０７は送信側はセルラー側から切り替えず、受信側のみ無線LANに切り替える動作を行なう。このため、RX_MODE_SEL１３３のみがHIGHになり、TX_MODE_SEL１３４はLOWのままである。この結果RXトランシーバ１１５は無線LAN側に切替が行なわれているが、TXトランシーバ１１７はセルラー側送信を継続している。ここでもWLAN_ACT１３１によって実際の無線LAN受信動作が完了したことを通信切替制御部１０７に伝えるため、当初通信切替制御部１０７が無線LANに切り替える時間である４サブフレーム分よりも短い期間である３サブフレーム期間にてセルラーに切り替わっている。このようにして、セルラーと無線LANがRXトランシーバ１１５とTXトランシーバ１１７を共通で使用して通信を行なうことが可能となる。
（実施の形態４）
図１１は本発明の実施の形態４における無線通信システムの構成を示すブロック図である。
【００６１】
１４０は、スケジュール情報（以下、SCH）であり、セルラーが通信する際に通信相手と事前に決めたサブフレームにて受信する情報であって、どのサブフレームで送信及び受信を行なうのかという、通信スケジュールが通知される。図１１は図１にこのSCH１４０を加えた構成となっている。このように構成された無線通信システムにおいて以下その動作を図１２を使用して説明する。
【００６２】
図１２は第１０の解決手段の動作でｍ＝４とした場合を例にとって記載したものである。図１２において、サブフレームに番号をつけてあるが、１フレームは２０個のサブフレームから構成され、１番から順番に２０番まで受信されるとする。１番のフレームはスケジュール情報を通知するためのサブフレームであり、スケジュールサブフレームと呼ぶこととする。サブフレームのうち斜線が入ったサブフレームは、スケジュールサブフレームにおいてこの無線通信システムが通信が行なうサブフレームを示すものである。第１フレームでは、サブフレーム番号の３，４，５，１０，１５，１６，１７がこれにあたる。ここでｎの値は、スケジュールサブフレーム以外にするため、１以上の値が選択され、ここではｎ＝４の値が選ばれている。このため、本無線通信システムがセルラー方式で通信をするためのサブフレームであるなしに関わらず、ｎ＝４，ｍ＝４の位置に無線LANへの切替タイミングが来ている。このようにして、セルラーと無線LANがRXトランシーバ１１５とTXトランシーバ１１７を共通で使用して通信を行なうことが可能となる。
【００６３】
図１３は第１１の解決手段の動作を示したものである。図１３では第１フレームでは、本無線通信システムがセルラー方式で通信するタイミングとして、サブフレームの３，４，５，１０，１５，１６，１７である。無線LANへの切替は本無線通信システムが通信しないタイミングを選ぶため、ｎ＝５，ｍ＝４が選択されている。また、第２フレームでは本無線通信システムが通信するタイミングは、サブフレームの３，６，８，１０，１７，１８である。このため無線LANへの切替は、ｎ＝１０、ｍ＝６が選択されている。このようにして、セルラーと無線LANがRXトランシーバ１１５とTXトランシーバ１１７を共通で使用して通信を行なうことが可能となる。
【００６４】
なお、この動作例では、無線LANへの切替を１フレーム内で１回としたが、複数回切り替えてもよい。実際の無線LANへの切替時間は、無線LANが通信をするのに必要な時間をWLAN_REQ_TIME１３０で入力し、無線LANの通信が途中で途絶えない、最小の時間に割り振るのが効率的である。
【００６５】
図１４は第１２の解決手段の動作を示したものである。図１４では、サブフレームのなかで、リアルタイムデータが通信されるサブフレームが記載されている。斜線１本（＼）は本無線通信システムへのセルラー方式での通信を示しているが、その中でリアルタイムデータが通信されるサブフレームを斜線２本（×）で示している。ここでリアルタイムデータとは、音声データ、音楽データ、映像データなどの通信遅延を小さくする必要のあるデータを示している。第１フレームでは、本無線通信システムがセルラー方式で通信するタイミングとして、サブフレームの３，４，５，１０，１５，１６，１７となっているが、このうちリアルタイムデータが通信されるタイミングは３，４，１５，１６である。本実施の形態では、リアルタイムデータ以外のサブフレームで無線LANが通信するようにMODE_SEL１０８が制御されるので、通信切替制御部１０７では、ｎ＝４，ｍ＝１０を選択しMODE_SEL１０８を変化させている。また、第２フレームでは本無線通信システムが通信するタイミングは、サブフレームの３，６，８，１０，１７，１８であるが、このうちリアルタイムデータが通信されるタイミングは６，１８である。このため、通信切替制御部１０７では、ｎ＝６、ｍ＝１１を選択しMODE_SEL１０８を変化させている。このようにして、セルラーと無線LANがRXトランシーバ１１５とTXトランシーバ１１７を共通で使用して通信を行なうことが可能となる。
（実施の形態５）
図１５は本発明の実施の形態５における無線通信システムの構成を示すブロック図である。
【００６６】
本実施の形態は、実施の形態３でRX_ONLY１３２、RX_MODE_SEL１３３、TX_MODE_SEL１３４の追加とMODE_SEL１０８の削除を説明したのと同様に、実施の形態４のブロック図に実施の形態３と同一機能のRX_ONLY１３２、RX_MODE_SEL１３３、TX_MODE_SEL１３４を加え、MODE_SEL１０８を削除したものである。このように構成された無線通信システムにおいて以下その動作を図１６を使用して説明する。図１６では、第２フレームにてRX_ONLY１３２がHIGHに変化している。よって第２フレームにおいてはWLAN通信制御部１０４が受信動作しか要求していないので、TX_MODE_SEL１３４はLOWのままで、RX_MODE_SEL１３３のみがHIGHに変化している。このRX_MODE_SEL１３３がHIGHの間RXトランシーバ１１５は無線LAN方式での通信を行う。一方TXトランシーバ１１７はセルラー方式の通信を維持する。このようにして、セルラーと無線LANがRXトランシーバ１１５とTXトランシーバ１１７を共通で使用して通信を行なうことが可能となる。
【００６７】
図１７は第１４の解決手段の動作を示したものである。セルラーのスケジュール情報により、本無線通信装置が受信をセルラー通信処理部１０３にて受信処理を行なうサブフレームが示してある。第１４の解決手段の動作ではｎ，ｍの値に関わらずセルラー方式にて受信動作が行なわれないサブフレームがあると、そのサブフレームのタイミングでRXトランシーバを無線LAN側に切り替えることが可能である。ここでは、第１フレームでは、１，３，４，１７番目のサブフレームが、第２フレームでは１，３，６番目のサブフレームがそれぞれ、本無線通信システムがセルラー方式で通信するタイミングの内で受信をするサブフレームであることが示されている。図１７の動作では、セルラーの受信が行なわれないサブフレームが３サブフレーム分連続した場合に無線LANに切り替える動作を行うこととしたときの動作例である。この時、RXトランシーバ１１５は図１６の動作と比較して、第１フレームにおいては、サブフレーム番号１５，１６、１８，１９，２０が追加で無線LANに切り替えられ、第２フレームにおいては、サブフレーム番号１８，１９，２０が追加で無線LANに切り替えられていることが分かる。このようにして、セルラーと無線LANがRXトランシーバ１１５とTXトランシーバ１１７を共通で使用して通信を行なうことが可能となる。
（実施の形態６）
図１８は本発明の実施の形態６における無線通信システムの構成を示すブロック図である。
【００６８】
１４１はスケジュール要求部であり、セルラー通信処理部１０３の通信相手に対して一時的な通信中断を要求するデータを生成するブロックである。１４２は無線LAN通信要求信号（以下、WLAN_ACC_REQ）であり、WLAN通信処理部１０４での通信要求があるこを通知するものである。１４３はセルラー通信処理部１０３に対してデータ中断を指示するセルラースケジュール要求信号である。スケジュール要求部１４１はWLAN_ACC_REQ１４２がアクティブになって、一定時間の間、無線LANへの切替が行なわれない場合にセルラースケジュール要求信号１４３をアクティブにするものとする。図１８は図１５のブロック図にこれら、スケジュール要求部１４１とWLAN_ACC_REQ１４２とセルラースケジュール要求信号１４３を加えた形である。WLAN_ACC_REQ１４２は無線LAN方式での通信が要求されているときにHIGHになる。スケジュール要求部１４１は、WLAN_ACC_REQ１４２がアクティブになって１フレーム分の時間１サブフレームも無線LANに切替が行なわれない場合に、セルラースケジュール要求信号１４３にHIGHパルスを出力する。
【００６９】
このように構成された無線通信システムにおいて以下その動作を図１９を使用して説明する。図１９においてサブフレームで斜線（＼）の入ったサブフレームはセルラー方式での本無線通信システムでのセルラー方式での通信が行なわれるものである。第１フレーム途中でWLAN_ACC_REQ１４２がHIGHになり無線LANでの通信要求が発生したことが、スケジュール要求部１４１に知らされる。ところが第１フレームと第２フレームはセルラーでの通信に十分な切れ目が無く、TX_MODE_SEL１３４もRX_MODE_SEL１３３も無線LANに切替が行なわれない状態である。そこでスケジュール要求部１４１はセルラーの通信を一時的に中断するように中断要求をセルラースケジュール要求信号１４３に出力する。この結果、第２フレームにてセルラー通信処理部１０３より通信相手に対して通信中断を要求するデータを送信する。この結果、第３フレーム、第４フレームでは本無線通信システムに対して通信が行なわれるサブフレームはスケジュールを送り届けるフレームのみになる。その結果、スケジュール情報によって通信切替制御部１０７は第３、第４フレーム内のサブフレームを無線LANに切り替えるようにRX_MODE_SEL１３３，TX_MODE_SEL１３４をHIGHにする。これによりWLAN通信処理部１０４は通信が行なえたので、WLAN_ACC_REQ１４２をLOWに下げる。第５フレームでは再度セルラーに対する通信が再開しているが、WLAN_ACC_REQ１４２によって無線LANでの通信を再度行なうことが可能となる。このようにして、セルラーと無線LANがRXトランシーバ１１５とTXトランシーバ１１７を共通で使用して通信を行なうことが可能となる。
【００７０】
なお、スケジュール要求部１４１がセルラースケジュール要求信号１４３を出すまでの時間は、システム動作上制約から決定されることが望ましい。
【００７１】
本発明の実施形態で説明に使用した条件は、無線通信システム動作の一例であり、例えば１フレーム内のサブフレーム個数は本実施例では２０個とし、１サブフレーム時間は０.５ｍｓとしたが任意の個数及び時間でよい。またサブフレームの長さは事前に通信相手との間で調整ができる範囲で、固定長でも可変長でも良い。またサブフレームとサブフレームの間に同期信号などデータ以外の信号が挿入される場合も適用可能である。
【００７２】
TXトランシーバ１１７、RXトランシーバ１１５はリコンフィギュアラブルに機能変更が可能なものでも、方式間で同一回路にて実現可能部分のみを共通部品として構成されてもよい。またトランシーバ部分ではなく、変復調部の一部を共有する形にも適用可能である。
【００７３】
TXトランシーバ１１７、RXトランシーバ１１５の動作モード切替時には切替に必要な時間が必要であり、セルラーから無線LANに切り替えるタイミングと無線LANからセルラーに切り替えるタイミングは、この切替にかかる時間を考慮して決定される。
【００７４】
上述の実施形態では移動環境でも通信が可能な通信方式としてセルラーを例に挙げて説明したが、モバイルWiMAXなどの他の通信方式にも適用可能である。
【００７５】
図２０〜２２は、本発明の実施形態１による無線通信システム（図１）の構成要素のうち集積回路として実装可能な範囲の例を示している。図２０は、RXトランシーバ１１５，TXトランシーバ１１７，受信用アンテナ１１６，送信用アンテナ１１８以外の構成要素を集積回路として実装する例を示している。図２１は、受信用アンテナ１１６，送信用アンテナ１１８以外の構成要素を集積回路として実装する例を示している。図２２は、すべての構成要素を集積回路として実装する例を示している。なお、本発明の実施形態２〜６による無線通信システム（図７，１０，１１，１５，１８）についても同様である。
【産業上の利用可能性】
【００７６】
本発明にかかる無線通信システムは、２つの異なる無線通信方式を切り替えて使用可能とすることで、複数の無線通信方式を有する無線通信システムの小型化に有用である。また３つ以上の無線通信方式の切り替え動作にも、本発明の２方式切替システムを複数結合することで応用できる。
【図面の簡単な説明】
【００７７】
【図１】本発明の実施形態１による無線通信システムのブロック図
【図２】本発明の第１の通信手段で用いられるフレームとサブフレームの構成図
【図３】本発明の実施形態１による無線通信システムの基本動作説明図
【図４】本発明の実施形態１による無線通信システムの動作説明図
【図５】本発明の実施形態１による無線通信システムの動作説明図
【図６】本発明の実施形態１による無線通信システムの動作説明図
【図７】本発明の実施形態２による無線通信システムのブロック図
【図８】本発明の実施形態２による無線通信システムの動作説明図
【図９】本発明の実施形態３による無線通信システムのブロック図
【図１０】本発明の実施形態３による無線通信システムの動作説明図
【図１１】本発明の実施形態４による無線通信システムのブロック図
【図１２】本発明の実施形態４による無線通信システムの動作説明図
【図１３】本発明の実施形態４による無線通信システムの動作説明図
【図１４】本発明の実施形態４による無線通信システムの動作説明図
【図１５】本発明の実施形態５による無線通信システムのブロック図
【図１６】本発明の実施形態５による無線通信システムの動作説明図
【図１７】本発明の実施形態５による無線通信システムの動作説明図
【図１８】本発明の実施形態６による無線通信システムのブロック図
【図１９】本発明の実施形態６による無線通信システムの動作説明図
【図２０】本発明の実施形態による無線通信システムの構成要素のうち集積回路として実装可能な範囲の例
【図２１】本発明の実施形態による無線通信システムの構成要素のうち集積回路として実装可能な範囲の例
【図２２】本発明の実施形態による無線通信システムの構成要素のうち集積回路として実装可能な範囲の例
【符号の説明】
【００７８】
１０１  データ処理部
１０２  通信制御部
１０３  セルラー通信処理部
１０４  無線LAN通信処理部
１０５  フレーム開始信号
１０６  サブフレーム開始信号
１０７  通信切替制御部
１０８  通信方式を切り替えるための信号
１０９  受信用方式選択部
１１０  送信用方式選択部
１１１  セルラー用受信データ
１１２  セルラー用送信データ
１１３  無線LAN用受信データ
１１４  無線LAN用送信データ
１１５  受信用トランシーバ
１１６  受信用アンテナ
１１７  送信用トランシーバ
１１８  送信用アンテナ
１３０  無線LAN通信時間リクエスト信号
１３１  無線LAN通信動作信号
１３２  無線LANが受信動作しか要求していないことを示す信号
１３３  受信側の切替信号
１３４  送信側の切替信号
１４０  スケジュール情報
１４１  スケジュール要求部
１４２  無線LAN通信要求信号
１４３  セルラースケジュール要求信号
【図１】
2008172569.tif 000003
【図２】
2008172569.tif 000004
【図３】
2008172569.tif 000005
【図４】
2008172569.tif 000006
【図５】
2008172569.tif 000007
【図６】
2008172569.tif 000008
【図７】
2008172569.tif 000009
【図８】
2008172569.tif 000010
【図９】
2008172569.tif 000011
【図１０】
2008172569.tif 000012
【図１１】
2008172569.tif 000013
【図１２】
2008172569.tif 000014
【図１３】
2008172569.tif 000015
【図１４】
2008172569.tif 000016
【図１５】
2008172569.tif 000017
【図１６】
2008172569.tif 000018
【図１７】
2008172569.tif 000019
【図１８】
2008172569.tif 000020
【図１９】
2008172569.tif 000021
【図２０】
2008172569.tif 000022
【図２１】
2008172569.tif 000023
【図２２】
2008172569.tif 000024